【事件の表示】
　特願２００２−６４７０１号「フレネルレンズライト用、特にスポットライトあるいはフラッドライト用光学系」拒絶査定不服審判事件〔平成１４年１１月８日出願公開、特開２００２−３２４４１０号〕について、次のとおり審決する。
【結　論】
　本件審判の請求は、成り立たない。
【理　由】
１．手続の経緯・本願発明
　本願は、平成１４年３月１１日（パリ条約による優先権主張２００１年３月１６日、独国）の出願であって、その請求項１に係る発明は、平成２０年７月１６日に手続補正された明細書の特許請求の範囲の請求項１に記載された次のとおりのものである。（以下、「本願発明」という。）
「フレネルレンズ用光学系であって、前記光学系は、楕円反射器（１）、光源（２）及び少なくとも１つのフレネルレンズ（３）から構成され、
　前記楕円反射器（１）はその頂点に近い方に第１焦点（Ｆ１）を、その頂点から遠い方に第２焦点（Ｆ２）を有し、
　前記少なくとも１つのフレネルレンズ(３)は前記楕円反射器（１）側に焦点（Ｆ３）を有し、
　前記少なくとも１つのフレネルレンズ（３）と前記楕円反射器（１）の頂部（Ｖ）との間の距離をａとして、
　前記光源（２）と前記楕円反射器（１）との距離をｂとして、
　前記光源（２）が前記第１焦点（Ｆ１）に位置した時に、その第２焦点（Ｆ２）と前記少なくとも１つのフレネルレンズ（３）の焦点（Ｆ３）が一致すると共に、その際のビーム角による光源（２）よりのビーム光の外周がフレネルレンズの外周に位置するようなスポットライトとなるａとｂの関係と、
　前記光源（２）が前記少なくとも１つのフレネルレンズ（３）に対して前記第１焦点（Ｆ１）より近づき、前記第２焦点（Ｆ２）が前記少なくとも１つのフレネルレンズ（３）に対して前記少なくとも１つのフレネルレンズ（３）の前記焦点（Ｆ３）より近づく位置とされると共に、その際のビーム角による光源（２）よりのビーム光の外周がフレネルレンズの外周に位置するようなフラッドライトとなるａとｂの関係間に変えられる
　フレネルレンズ用光学系。」
　
２．引用刊行物
（１）引用刊行物１
　これに対して、当審で通知した拒絶の理由に引用され、本願優先日前に頒布された実公昭６３−１２４９０号公報（以下「引用刊行物１」という。）には、第１〜７図とともに以下の事項が記載されている。
ア．「今日、舞台、ステージ等の照明にピンスポツト系のスポツトライト及び虚像アパーチヤーを用いたスポツトライトが使用されている。以下、それらスポツトライトの光学原理を図面に基づいて説明する。
　第１図及び第２図はピンスポツト系の光学原理を示し、楕円反射鏡２の第１焦点付近に光源１を置いた際、光源１より出射した光線のうち、たとえば光線７は、楕円反射鏡２で反射され、光線７′の如く、アパーチヤー３を通過した後、楕円反射鏡２の第二次焦点付近を通過し、凸レンズ４に入射し、レンズの屈折により、光線７″の如く照射面６に投光される。
　ここで、レンズ４は、結像レンズであり、照射面６とレンズ４の距離により、レンズ４の結像寸法が定まり、レンズ４の結像位置をアパーチヤー３の位置にもつていくことにより、被照面に、アパーチヤー３の形がくつきりと映し出され、アパーチヤーが円であれば、被照面に映し出された円形の内側へほとんどの光線が投光されるものである。」（第１頁左欄第１３行〜右欄第５行）
イ．「第５図は本考案の実施例を示し、１は電球、２は楕円反射鏡、３はアパーチヤー、４は凸レンズ、２０は拡散板、２１は凸レンズ４を前後方向に移動させるレンズ位置調整摘まみ、２２は拡散板２０を前後方向に移動させる拡散板位置調整摘まみ、２３は灯体である。」（第３頁左欄第１２〜１７行）
ウ．第１図には、楕円反射鏡２内の電球１のフィラメントから出た光線７，８が、楕円反射鏡２の開口縁部で反射されて光線７′，８′となり、アパーチヤー３を通過、交叉し、凸レンズ４の上下端縁に入射し、レンズで屈折して光線７″，８″となって、わずかに拡がりながら照射面６に達する光路が図示される。
　上記ア．及びイ．の記載事項及びウ．の図示内容を総合すると、引用刊行物１には、以下の発明（以下「引用発明」という。）が記載されていると認められる。
「楕円反射鏡２、電球１、前後方向に移動される凸レンズ４から構成され、
　電球１が楕円反射鏡２内の第１焦点付近に位置し、
　電球１から出た光線７，８が楕円反射鏡２の開口縁部で反射されて光線７′，８′となり、光線７′，８′は楕円反射鏡２の第二次焦点付近を通過して交叉して後凸レンズ４の上下端縁に入射し、レンズで屈折して光線７″，８″となって、わずかに拡がりながら照射面６に達する光路となる
　スポツトライト用の楕円反射鏡２、電球１及び凸レンズ４。」
　
（２）引用刊行物２
　同じく、引用され、本願優先日前に頒布された米国特許第４５１９０２０号明細書（以下「引用刊行物２」という。）には、第１〜３図とともに以下の事項が記載されている。
ア．「This invention relates generally to light projection apparatus, and in particular to a spotlight or floodlight of the type suitable for stage lighting.
2. Description of the Prior Art
Conventional illumination systems, especially for soft lighting or spot flooding applications, are somewhat inefficient and complex.For stage lighting and studio lighting applications, the spot projectors must be adapted to vary the area of illumination to accommodate different stage settings.・・・（中略）・・・Early designs for plano-convex spotlights included a lamp, a plano-convex lens and a reflector.These conventional units have been replaced by fresnel lenses and ellipsoidal reflector spotlights.」（第１欄第６〜２９行、当審和訳：この発明は、一般に投光装置に、特に舞台照明にふさわしいタイプのスポットライトかフラッドライトに関連する。
2. 先行技術の記述
　従来の照明システムは、特にソフトライティングまたはスポットフラッドの適用にとって、多少非能率的でかつ複雑です。舞台照明とスタジオ照明への適用のために、異なる舞台設定を適応するために、照明のエリアを変えるように、スポット・プロジェクターは適応されなければなりません。・・・（中略）・・・平凸のスポットライトの初期の設計はランプ、平凸レンズおよび反射器を含んでいました。これらの従来のユニットはフレネル・レンズと楕円体の反射器のスポットライトに置き換えられました。）
イ．「The principal elements of the variable magnification spotlight assembly are a lamp which is housed within a reflector, a gate having a gate aperture, a focusing lens and an objective lens.・・・（中略）・・・The axial position of the lamp within the reflector is adjustable over a limited range.The positions of the objective lens and the focusing lens are adjustable along the axis of the assembly.The invention resides in the selection of the focusing lens diameter and its focal length, and the selection of the diameter of the objective lens and its focal length and the selection of the reflector and its spacing relative to the gate.」（第２欄第１３〜２５行、当審和訳：可変拡大倍率のスポットライトアセンブリの主要な要素は、反射器内に収容されるランプ、ゲート開口を有するゲート、焦点レンズおよび対物レンズです。・・・（中略）・・・反射器内のランプの軸上の位置は制限された範囲を越えて調整可能です。対物レンズ及び焦点レンズの位置はアセンブリの軸に沿って調整可能です。この発明は、焦点レンズの径及びその焦点距離の選択、対物レンズの径及びその焦点距離の選択、並びに反射器及びゲートに関するその間隔の選択にあります。」
ウ．「The lamp 14 is enclosed within an ellipsoidal reflector 20 which is held in axial alignment with the optical axis 18 by a mounting bracket 22.」（第３欄第１８〜２０行、当審和訳：
ランプ14は、マウンティング・ブラケット22によって光学の軸18を備えた軸上の整列の中に保持される、楕円体の反射器20の中に収納されます。）
エ．「The axial position of the lamp 14 is adjustable by a threaded adjustment shaft 82 which projects through the mounting plate 76 and is received in threaded engagement with the lamp socket carriage bracket 60.A knob 84 attached to the threaded shaft 82 permits easy adjustment of the lamp position as indicated by the arrow 86 in response to rotation of the knob 84 as indicated by the arrow 88.This permits the rapid alteration of light output characteristics.By adjusting the axial position of the lamp 14, flat and peak fields can be created, and the beam angle can be varied.」（第２欄第１３〜２５行、当審和訳：ランプ14の軸上の位置は、取付板76に通って突き出て、ランプソケット・キャリッジ・ブラケット60と螺合による噛み合いで受けられる、螺子調節軸82によって調整可能です。螺子軸82に付けられた取っ手84は、矢印88によって示されるような取っ手84の回転に応じて矢印86によって示されるようなランプ位置の容易な調節を許します。これは、光出力特性の迅速な変更を許します。ランプ14の軸上の位置の調節によって、平面とピークのフィールドは作られることができ、また、ビーム角は変えられることができます。）
オ．「According to this arrangement, the objective lens will receive substantially all of the light passed by the focusing lens.」（第５欄第１〜４行、当審和訳：この配置によれば、対物レンズは、焦点レンズによって通過された光のすべてを充分に受け取るでしょう。）
カ．「From the foregoing example, it is evident that a progressive decrease of angular projection is achieved at a constant rate, and substantially without loss of light.」（第６欄第１５〜１７行、当審和訳：先の例から、角度の射出の漸進的な減少が一定の割合で、そして本質的に光の損失なしで、達成されることは明白です。）
（３）引用刊行物３
　同じく、引用され、本願優先日前に頒布された実公昭５６−４３９２１号公報（以下「引用刊行物３」という。）には、第１〜５図とともに以下の事項が記載されている。
ア．「第１図及び第２図はかかるスポットライトの従来例を示すものである。・・・（中略）・・・２は楕円回転面を有する腕型の反射鏡であり、器具本体１内に装着される。３はソケット４に取付けられる例えばハロゲンランプ等のランプであり、反射鏡２の中央底部を貫通して楕円回転面の焦点に配置される。・・・（中略）・・・８，８は凸レンズであり、両凸レンズ８間にスペーサ９を介して組合せ凸レンズを構成する。１０は両端開口の筒体形状のレンズホルダであり、一端に、上記凸レンズ８，８を装着され他端を支持筒７に嵌装されて凸レンズ８，８を反射鏡２に対して前後に移動自在としている。」（第１頁左欄第３０行〜右欄第１２行）
（４）引用刊行物４
　同じく、引用され、本願優先日前に頒布された特開昭５５−１２６８０号公報（以下「引用刊行物４」という。）には、図面とともに以下の事項が記載されている。
ア．「タングステン電球等の白熱光源を熱線透過性の反射鏡により一様な光束としてシヤツター装置の投光窓孔面に集光し、該光束を、耐熱性平凸レンズからなる中間レンズとプラスチツクス製のフレネルレンズとの組合せからなる明るいレンズ系によつて投光すべくなした白熱光源を有する照明装置」（特許請求の範囲）
イ．「該ソケツト３は位置調整ツマミ４によつて投光軸に沿つて移動調整可能に取付けてある。５は支持枠６によつて取付けた熱線透過性の反射鏡で、白熱光源２の可視光線のみをその前方のシヤツター装置７の投光窓孔面に一様な光束として集光するように構成してある。」（第２頁左上欄第１〜６行）
ウ．「８はガラス平凸レンズ等からなる中間レンズで、前記反射鏡５によつて除去し得なかつた熱線を減少せしめ、且つ耐熱性を具備していると共に、色収差を除去する構成である。該中間レンズ８は、その前方のプラスチツクス製のフレネルレンズ９と共に、Ｆ値が約１．４のような明るい投光レンズ系を構成している。上記フレネルレンズ９は球面収差が除去でき、明るく且つ軽量な投光レンズ系を得る効果があり、また耐熱性の点においても、熱線透過性の反射鏡５及び中間レンズ８によつて投光光源から熱光線が除去されることによつて充分の耐久性を具備している。」（第２頁左上欄第１４行〜右上欄第５行）
エ．「ここで上記中間レンズ８とフレネルレンズ９との組合せからなる投光レンズ系の実施例を具体的に挙げて説明すると、」（第２頁右上欄第６〜８行）「その投光角度は８°である。次に同じ条件で投光レンズ系のみを、直径１６０mmの中間レンズと直径６００mmのフレネルレンズとからなるＦ値約１．４の投光レンズ系にした実施例では、・・・（中略）・・・その投光角度は５°である。」（第２頁左下欄第１〜１２行）
オ．「前述の如く本発明に係る照明装置によれば、ガスアーク電球等の光源と比較して輝度の低いタングステン電球等の白熱光源の光を熱線透過性の反射鏡によりできるだけ熱線の少い且つ一様な光束としてシヤツター装置の投光窓孔面に大角度で集光し、該光束を、色収差を除去すると共に熱に強い平凸レンズからなる中間レンズと、前記反射鏡と中間レンズにより熱線の影響を受ける惧れのないプラスチツクス製のフレネルレンズとを組合せた明るいレンズ系によつて、有効に無理なく投光することができるから、例えば舞台照明等において３０ｍの距離に直径３ｍ程度の光輝域を得る白熱光源を有する照明装置を、小型且つ軽量で照明操作も容易に行い得るように構成することができる効果がある。」（第２頁右下欄第２〜１６行）
カ．図面に、反射鏡５の内部の頂部の近くに白熱光源２が位置し、反射鏡５の開口部両端から出た線が中間レンズ８の直前で交叉し、フレネルレンズ９の両端部分に達することが図示される。
（５）引用刊行物５
　同じく、引用され、本願優先日前に頒布された実公昭５１−１６１３４号公報（以下「引用刊行物５」という。）には、図面とともに以下の事項が記載されている。
ア．「楕円反射面２を有する反射鏡々筒１に、上部水平切欠円状の開口部４を穿つと共に該反射鏡々筒１の開口部４前面にフレネルレンズ５を配設する一方、該フレネルレンズ５のレンズ作用部８を前記開口部４と相似形に構成してなる照明装置。」（実用新案登録請求の範囲）
イ．「１は楕円反射面２を有する反射鏡々筒で一側に光源３を配設すると共に他側に正面から見て上部水平切欠円状の開口部４を穿つてある。従つて開口部４より放射される光束９は第４図に示す如く上部水平切欠円状となる。Ａは第１焦点、Ｂは第２焦点、５は反射鏡々筒１の開口部４の前方に配設せしめたフレネルレンズで上部６を水平に区切つて垂直平面部７を形成し該垂直平面部７には黒色塗料等を塗布して光線を遮断すべくなしてある。而してフレネルレンズ５のレンズ作用部８の形状は反射鏡々筒１の開口部４の形状と相似形となるようにしてある。開口部４から放射される光束９を過不足なくフレネルレンズ５のレンズ作用部８全面に到達させるように光源３の位置とフレネルレンズ５との距離を定めてある。又フレネルレンズ５のレンズ作用部８の曲率半径Ｒは、第２焦点Ｂから発した光束の内、上部水平切欠線部ｌ０を通つてフレネルレンズ５に到達した光線ＢＰがレンズ作用部８によつて屈折され光軸Ｘに対し並行ＰＱとなるように設計してある。」（第１頁左欄第３３行〜右欄第１４行）
ウ．「光源３より発せられた光線は楕円反射面２により反射せしめられ第２焦点Ｂに集光され更に該第２焦点Ｂより発せられた光束９はフレネルレンズ５のレンズ作用部８に到達し茲で屈接されて光線ＢＰは光軸Ｘと並行になり光線ＰＱとして放射される。一方、光線ＢＲは光線ＲＳとなつて地面１１を照射する。」（第１頁右欄第２８〜３４行）
　
３．対比・判断
　本願発明と引用発明とを対比すると、後者の「楕円反射鏡２」は、その機能・構造からみて、前者の「楕円反射器（１）」に相当し、同じく、後者の「電球１」が前者の「光源（２）」に相当する。
　後者の「凸レンズ４」と前者の「フレネルレンズ（３）」とは、その機能・配置からみて、レンズである点で共通し、同じく後者の「スポツトライト用の楕円反射鏡２、電球１及び凸レンズ４」と前者「フレネルレンズ用光学系」とは、レンズ用光学系の限りで共通する。
　後者は「電球１が楕円反射鏡２内の第１焦点付近に位置し」ており、「電球１から出た光線７，８が楕円反射鏡２の開口縁部で反射されて光線７′，８′となり、光線７′，８′は楕円反射鏡２の第二次焦点付近を通過して交叉して後凸レンズ４の上下端縁に入射」するのであるから、後者の「楕円反射鏡２内の第１焦点」が前者の楕円反射器（１）「の頂点に近い方」の「第１焦点（Ｆ１）」に相当し、後者の「楕円反射鏡２の第二次焦点」が前者の「その頂点から遠い方」の「第２焦点（Ｆ２）」に相当する。
　また、後者の「凸レンズ４」は、凸レンズであるから当然、その両側に焦点を有するものであり、「光線７′，８′は楕円反射鏡２の第二次焦点付近を通過して交叉して後凸レンズ４の上下端縁に入射し、レンズで屈折して光線７″，８″となって、わずかに拡がりながら照射面６に達する光路」であるから、機能的にみても、楕円反射鏡２側に焦点を有するものといえる。
　そうすると、両者は、「レンズ用光学系であって、前記光学系は、楕円反射器、光源及び少なくとも１つのレンズから構成され、
　前記楕円反射器はその頂点に近い方に第１焦点（Ｆ１）を、その頂点から遠い方に第２焦点（Ｆ２）を有し、
　前記少なくとも１つのレンズは前記楕円反射器（１）側に焦点（Ｆ３）を有する
　レンズ用光学系。」である点で一致し、以下の点で相違しているものと認められる。
Ａ．レンズに関し、本願発明が「フレネルレンズ」であって、「フレネルレンズ用光学系」であるのに対して、引用発明が「凸レンズ４」であって、レンズ用光学系といえるにすぎない点。
Ｂ．本願発明が「光源（２）と楕円反射器（１）との距離をｂとして、
　前記光源（２）が前記第１焦点（Ｆ１）に位置した時に、その第２焦点（Ｆ２）と前記少なくとも１つの」「レンズ（３）の焦点（Ｆ３）が一致すると共に、その際のビーム角による光源（２）よりのビーム光の外周が」「レンズの外周に位置するようなスポットライトとなるａとｂの関係と、
　前記光源（２）が前記少なくとも１つの」「レンズ（３）に対して前記第１焦点（Ｆ１）より近づき、前記第２焦点（Ｆ２）が前記少なくとも１つの」「レンズ（３）に対して前記少なくとも１つの」「レンズ（３）の前記焦点（Ｆ３）より近づく位置とされると共に、その際のビーム角による光源（２）よりのビーム光の外周が」「レンズの外周に位置するようなフラッドライトとなるａとｂの関係間に変えられる」ものであるのに対して、引用発明はそうではない点。
　
　そこで、上記相違点について検討する。
（１）相違点Ａについて
　楕円反射鏡の第１焦点付近に光源を置き、これと離れた第２焦点付近で一度集光した後、拡散する光線を凸レンズで平行に近づけるよう屈折させて投光する、いわゆる一種のプロジェクタ型の投光装置において、凸レンズをフレネルレンズとすることは、車両用ではあるものの、上記引用刊行物５に示されるのみならず、例えば実願平４−９０１１３号（実開平６−５０１０９号）のＣＤ−ＲＯＭや実願昭６３−８８４１号（実開平１−１１３９０３号）のマイクロフイルムに示されるように周知であり、さらに、上記周知例には、フレネルレンズとすることで薄型、軽量化することも記載されているように、薄型、軽量化のために、フレネルレンズを用いることも周知である。
　一方、引用発明のみならず、引用刊行物３にも示されるように、車両用ではない一般のプロジェクタ型のスポットライトは周知のものであって、引用刊行物４には、このような一般のプロジェクタ型のスポットライトにおいて、中間レンズ８も用いることで、熱に弱いプラスチツクス製のフレネルレンズを採用可能にすることが示されているといえ、車両用でない一般のスポットライトにおいても、フレネルレンズを用いようとすることが示唆されている。
　そうすると、引用発明において、そのレンズの薄型、軽量化のために、フレネルレンズを用いることは、当業者が必要に応じて適宜なし得たことといえる。
　なお、照明学会編「照明ハンドブック」第１版第１刷（昭５３−５−２０）オーム社、ｐ．６７４−６７５にも示されるように、スポットライトとして、平凸レンズを用いたもののみならず、フレネルレンズを用いたスポットライトも周知であり、また、引用刊行物３の凸レンズ８，８はそれが一体となった組合せ凸レンズであり、これをフレネルレンズに置き換えることも当業者が適宜なし得た選択的事項である。引用刊行物４のものは中間レンズを有するものの、少なくとも１つのフレネルレンズを有する点では本願発明と差異はない。
　
（２）相違点Ｂについて
ア．引用発明の凸レンズ４は前後方向に移動されるものである。また、引用刊行物３に記載されるスポットライトも凸レンズ８，８を反射鏡２に対して前後に移動自在としている。さらに、上記「照明ハンドブック」のｐ．６７４−６７５や特公平７−５６７６１号公報にも舞台照明のスポットライトとして同様の事項が記載されていて周知であり、フレネルレンズを含む凸レンズと反射鏡の距離を変えてビーム角を変えることは、上記周知のプロジェクタ型のスポットライトにおいて、通常なすことにすぎないといわざるをえない。
イ．引用発明はわずかに拡がりながら照射面６に達するものであって、ビーム角を小さくするものといえ、引用刊行物４に記載のものもビーム角は５°や８°と小さい。さらに、上記「照明ハンドブック」のｐ．６７４−６７５の図２６．１１等には、凸レンズの焦点と光源を一致させて狭いビーム角を得ることが示されている。そして、引用発明は電球１が楕円反射鏡２内の第１焦点付近に位置し、光線７′，８′は楕円反射鏡２の第二次焦点付近を通過して交叉するものであるから、ビーム角を小さくする場合、光線を光軸に平行な細いビームとし、その時、凸レンズの焦点を、光線が集束する楕円反射鏡２の第二次焦点に一致させるようになすことは、当業者が適宜なし得た設計的事項といえる。
ウ．逆に、ビーム角を拡げる場合、光線が集束する楕円反射鏡２の第二次焦点を、凸レンズ４の楕円反射鏡２側の焦点より凸レンズ４に近づけることは、上記「照明ハンドブック」のｐ．６７４−６７５の図２６．１１等にも示されるように、当業者が適宜なし得た設計的事項といえる。
　そして、上記した「照明ハンドブック」のｐ．６７４−６７５や特公平７−５６７６１号公報に示されるように、舞台照明のライトにおいて、ビーム角を変更可能にすることが通常行われることであり、舞台照明のライトにおいてより大きなビーム角を有するライトとしてフラッドライトも上記「照明ハンドブック」のｐ．６７１−６７４に示されるように周知であって、上記ビーム角の大きなライトとした場合に、これをフラッドライトとして利用できるようにすることも、当業者が格別の困難性を要すことなくなし得たことといえる。
エ．引用発明は、「前後方向に移動される凸レンズ４」を有し「電球１から出た光線７，８が楕円反射鏡２の開口縁部で反射されて光線７′，８′となり、光線７′，８′は楕円反射鏡２の第二次焦点付近を通過して交叉して後凸レンズ４の上下端縁に入射」するものであり、引用刊行物４には、光源２が取り付けられるソケット３を投光軸に沿って移動することが記載されるとともに、白熱光源２から反射鏡５の開口部両端で反射した光線が、フレネルレンズ９の両端部分に達し（２．（４）カ．）、有効に無理なく投光することができる（２．（４）オ．）ことが示され、また、引用刊行物５には、楕円反射面２を有する反射鏡々筒の開口部４から放射される光束９を過不足なくフレネルレンズ５のレンズ作用部８全面に到達させるように光源３の位置とフレネルレンズ５との距離を定めることが記載されており、さらに、引用刊行物２には、プロジェクタ型のスポットライトにおいて、凸レンズを移動するとともに、反射鏡に対して光源を移動してビーム角を変えること（特に２．（２）エ．等参照）が記載されており、凸レンズを移動するとともに、反射鏡に対して光源をも移動してビーム角を変えることで、焦点レンズによって通過された光のすべてを対物レンズが受取り（２．（４）オ．）、本質的に光の損失なしで、角度の射出の漸進的な減少が達成される（２．（４）カ．）ことが示されている。
　そうすると、ビーム角を変えるにあたり、凸レンズを動かすのみならず、光源を移動することは格別ではなく、かつ、反射鏡で反射した光を過不足なく、有効に、レンズ全面で受け取って利用するようになすこと、つまり、光源より反射鏡で反射したビーム光の外周がレンズの外周に位置するように、それらの位置関係やその他の条件を設定しようとすることも当業者が通常なす程度の事項といえるから、設定できるビーム角について、光源より反射鏡で反射したビーム光の外周がレンズの外周に位置するようできるように、凸レンズだけでなく、光源を移動し得るようにすることは、当業者が格別の困難性を要することなく容易になし得たことといえる。
　なお、本願発明はスポットライトとなるａとｂの関係と、フラッドライトとなるａとｂの関係間に変えられる、つまり調整が可能というにすぎず、自動的に上記ａとｂの関係となるための構成を有するものでもないのであるから、上記のように当業者が容易になし得たものである。
　また、引用刊行物４は少なくとも１つのフレネルレンズを用いるものであって、一様な光束とすることが記載され、上記「照明ハンドブック」のｐ．６７４−６７５にもスポットライトにおいて各方式に応じた均一な光強度となる様子が示されている。
オ．上記ア．〜エ．に述べたようであるから、相違点Ｂに係る本願発明の発明特定事項とすることは、引用発明、引用刊行物２〜５に記載の事項及び上記周知の事項から当業者が容易になし得たことといわざるを得ない。
　
　そして、本願発明を全体としてみても、その効果が格別であるとは認められない。
　
４．むすび
　以上のように、本願発明は、引用発明、引用刊行物２〜５に記載の事項及び周知の事項に基いて当業者が容易に発明をすることができたものであるから、特許法第２９条第２項の規定により特許を受けることができない。
　よって、結論のとおり審決する。